(57)【要約】  特定化学物質第一類のジアニシジンを使用することなく製造でき、染着性及び耐光性の良好なセルロース繊維材料、特に紙・パルプ用の優れた黒色用アゾ染料化合物として、下記一般式（１）で表されるテトラキスアゾ化合物又はその塩を提供する。式（１）中、Ｒ１、Ｒ２はそれぞれ独立に水素原子、スルホ基等を示し、Ｒ３、Ｒ４はそれぞれ独立にアミノ基、カルボキシ基等を示し、Ａは下記一般式（２）で表される基を示す。式（２）中、Ｒ５はスルホ基等を示し、Ｒ６はアミノ基、カルボキシ基等を示す。2014156851.tif 000023
2014156851.tif 000002
【特許請求の範囲】
【請求項１】
下記一般式（１）で表されるテトラキスアゾ化合物又はその塩。
【化１】
2014156851.tif 000019
［式中、Ｒ１、Ｒ２はそれぞれ独立に水素原子又はスルホ基を示し、Ｒ３、Ｒ４はそれぞれ独立にアミノ基；カルボキシ基；スルホ基；又は無置換（Ｃ１−Ｃ４）アルキル基、無置換（Ｃ１−Ｃ４）アルコキシ基、ヒドロキシ基、スルホ基、及びカルボキシ基からなる置換基群から選ばれる１種若しくは２種の置換基を１個若しくは２個有していてもよいフェニルアミノ基を示し、Ａは下記一般式（２）で表される基を示す。］
【化２】
2014156851.tif 000020
［式中、Ｒ５は水素原子又はスルホ基を示し、Ｒ６はアミノ基；カルボキシ基；スルホ基；又は無置換（Ｃ１−Ｃ４）アルキル基、無置換（Ｃ１−Ｃ４）アルコキシ基、ヒドロキシ基、スルホ基、及びカルボキシ基からなる置換基群から選ばれる置換基を有していてもよいフェニルアミノ基を示す。］
【請求項２】
Ａの結合位置がその結合するナフチル基の６位又は７位である請求項１に記載のテトラキスアゾ化合物又はその塩。
【請求項３】
前記一般式（１）で表されるテトラキスアゾ化合物が下記一般式（３）で表され、Ｒ１の結合位置がその結合するナフチル基の７位又は８位であり、Ｒ２、Ｒ５、Ｒ６の結合位置がそれぞれの結合するナフチル基の６位又は７位であり、Ｒ３、Ｒ４の結合位置がその結合するフェニル基の３位、４位、又は５位である請求項１又は２に記載のテトラキスアゾ化合物又はその塩。
【化３】
2014156851.tif 000021
［式中、Ｒ１、Ｒ２、Ｒ３、Ｒ４、Ｒ５、Ｒ６は前記と同じ意味を示す。］
【請求項４】
Ｒ６の結合位置がその結合するナフチル基の６位である請求項３に記載のテトラキスアゾ化合物又はその塩。
【請求項５】
Ｒ３の結合位置がその結合するフェニル基の３位であり、Ｒ４の結合位置がその結合するフェニル基の５位である請求項３又は４に記載のテトラキスアゾ化合物又はその塩。
【請求項６】
前記一般式（１）で表されるテトラキスアゾ化合物が下記一般式（４）で表され、Ｒ１の結合位置がその結合するナフチル基の６位又は８位であり、Ｒ２、Ｒ５、Ｒ６の結合位置がそれぞれの結合するナフチル基の６位又は７位であり、Ｒ３、Ｒ４の結合位置がその結合するフェニル基の３位、４位、又は５位である請求項１又は２に記載のテトラキスアゾ化合物又はその塩。
【化４】
2014156851.tif 000022
［式中、Ｒ１、Ｒ２、Ｒ３、Ｒ４、Ｒ５、Ｒ６は前記と同じ意味を示す。］
【請求項７】
Ｒ６の結合位置がその結合するナフチル基の６位である請求項６に記載のテトラキスアゾ化合物又はその塩。
【請求項８】
Ｒ３の結合位置がその結合するフェニル基の３位であり、Ｒ４の結合位置がその結合するフェニル基の５位である請求項６又は７に記載のテトラキスアゾ化合物又はその塩。
【請求項９】
請求項１〜８のいずれか一項に記載のテトラキスアゾ化合物又はその塩を含有する染料組成物。
【請求項１０】
請求項９に記載の染料組成物を使用してセルロース繊維材料を染色する工程を含むセルロース繊維材料の染色方法。
【請求項１１】
請求項１０に記載の染色方法により染色された染色物。
【請求項１２】
請求項１１に記載の染色物を用いて得られる物品。
【発明の詳細な説明】
【技術分野】
【０００１】
本発明は、黒色用テトラキスアゾ化合物又はその塩、それを含有する染料組成物、それを使用する染色方法及び染色物、さらにそれを用いて得られる物品に関する。
【背景技術】
【０００２】
セルロ−ス繊維材料、特に紙・パルプ用の染料としては、染着性がよい直接染料が多く用いられている。中でも黒色用染料としてＣ．Ｉ．ダイレクトブラック１９やＣ．Ｉ．ダイレクトブラック１６８等がよく使用されている。しかし、これらの染料は耐光性が低く、また、主原料としてジアニシジンを使用していることが問題視されている。すなわち、ジアニシジンは特定化学物質第一類に該当し、発がん性等により人体や環境への悪影響が知られており、その使用は極めて厳重な防護設備の下で作業する必要があるなど、安全衛生管理面及び生産効率の面等から多くの問題を抱えている。【０００３】
近年、工場の安全操業や環境保護の観点から非ジアニシジン系染料の開発が進められているが、染着性、耐光性を備えた染料が少ない等の未だ克服すべき課題も多い。非ジアニシジン系染料の使用分野を拡大するために、非ジアニシジン系染料組成物やその染色物に耐光性の向上が求められているが、現状では満足できる染料、染料組成物は見出されていない。
【先行技術文献】
【非特許文献】
【０００４】
【非特許文献１】細田豊著  「染料化学：理論製造」技報堂出版（１９６３）
【発明の概要】
【発明が解決しようとする課題】
【０００５】
本発明では、特定化学物質第一類のジアニシジンを使用することなく製造でき、染着性及び耐光性の良好な紙・パルプ用の優れた黒色用アゾ染料を提供する。
【課題を解決するための手段】
【０００６】
本発明者等は上記の問題点を解決すべく鋭意研究を重ねた結果、新規な黒色用アゾ染料化合物とそれを含む染料組成物を見出し、本発明に至った。すなわち、本発明は以下記載の１）〜１２）に関する。【０００７】
１）
下記一般式（１）で表されるテトラキスアゾ化合物又はその塩。
【化１】
2014156851.tif 000003
［式中、Ｒ１、Ｒ２はそれぞれ独立に水素原子又はスルホ基を示し、Ｒ３、Ｒ４はそれぞれ独立にアミノ基；カルボキシ基；スルホ基；又は無置換（Ｃ１−Ｃ４）アルキル基、無置換（Ｃ１−Ｃ４）アルコキシ基、ヒドロキシ基、スルホ基、及びカルボキシ基からなる置換基群から選ばれる１種若しくは２種の置換基を１個若しくは２個有していてもよいフェニルアミノ基を示し、Ａは下記一般式（２）で表される基を示す。］
【化２】
2014156851.tif 000004
［式中、Ｒ５は水素原子又はスルホ基を示し、Ｒ６はアミノ基；カルボキシ基；スルホ基；又は無置換（Ｃ１−Ｃ４）アルキル基、無置換（Ｃ１−Ｃ４）アルコキシ基、ヒドロキシ基、スルホ基、及びカルボキシ基からなる置換基群から選ばれる置換基を有していてもよいフェニルアミノ基を示す。］【０００８】
２）
Ａの結合位置がその結合するナフチル基の６位又は７位である上記１）に記載のテトラキスアゾ化合物又はその塩。
３）
上記一般式（１）で表されるテトラキスアゾ化合物が下記一般式（３）で表され、Ｒ１の結合位置がその結合するナフチル基の７位又は８位であり、Ｒ２、Ｒ５、Ｒ６の結合位置がそれぞれの結合するナフチル基の６位又は７位であり、Ｒ３、Ｒ４の結合位置がその結合するフェニル基の３位、４位、又は５位である上記１）又は２）に記載のテトラキスアゾ化合物又はその塩。
【化３】
2014156851.tif 000005
［式中、Ｒ１、Ｒ２、Ｒ３、Ｒ４、Ｒ５、Ｒ６は上記と同じ意味を示す。］【０００９】
４）
Ｒ６の結合位置がその結合するナフチル基の６位である上記３）に記載のテトラキスアゾ化合物又はその塩。
５）
Ｒ３の結合位置がその結合するフェニル基の３位であり、Ｒ４の結合位置がその結合するフェニル基の５位である上記３）又は４）に記載のテトラキスアゾ化合物又はその塩。【００１０】
６）
上記一般式（１）で表されるテトラキスアゾ化合物が下記一般式（４）で表され、Ｒ１の結合位置がその結合するナフチル基の６位又は８位であり、Ｒ２、Ｒ５、Ｒ６の結合位置がそれぞれの結合するナフチル基の６位又は７位であり、Ｒ３、Ｒ４の結合位置がその結合するフェニル基の３位、４位、又は５位である上記１）又は２）に記載のテトラキスアゾ化合物又はその塩。
【化４】
2014156851.tif 000006
［式中、Ｒ１、Ｒ２、Ｒ３、Ｒ４、Ｒ５、Ｒ６は上記と同じ意味を示す。］【００１１】
７）
Ｒ６の結合位置がその結合するナフチル基の６位である上記６）に記載のテトラキスアゾ化合物又はその塩。
８）
Ｒ３の結合位置がその結合するフェニル基の３位であり、Ｒ４の結合位置がその結合するフェニル基の５位である上記６）又は７）に記載のテトラキスアゾ化合物又はその塩。【００１２】
９）
上記１）〜８）のいずれか一項に記載のテトラキスアゾ化合物又はその塩を含有する染料組成物。
１０）
上記９）に記載の染料組成物を使用してセルロース繊維材料を染色する工程を含むセルロース繊維材料の染色方法。
１１）
上記１０）に記載の染色方法により染色された染色物。
１２）
上記１１）に記載の染色物を用いて得られる物品。
【発明の効果】
【００１３】
本発明の黒色アゾ染料として使用されるテトラキスアゾ化合物は、特定化学物質第一類に該当するジアニシジンを使用せずに製造することができ、染色性に優れることから、紙・パルプ等のセルロ−ス繊維材料を高濃度で染色することができる。また、本発明のテトラキスアゾ化合物を用いて染色された染色物は耐光性にも優れる。
【発明を実施するための形態】
【００１４】
以下、本発明を詳細に説明する。
本発明のテトラキスアゾ化合物又はその塩は、上記一般式（１）で表されるテトラキスアゾ化合物又はその塩であり、式中のＡは上記一般式（２）で表される。
【００１５】
上記一般式（１）、（２）におけるＲ１〜Ｒ６は、それぞれ独立の置換基である。本発明の化学構造式中の数字は、置換基の置換位置を示すために便宜的に記載したものである。
Ｒ１の置換位置は結合するナフチル基上、置換可能であれば特に限定されないが、好ましくは６位、７位、又は８位である。Ｒ１としては水素原子が好ましい。
【００１６】
Ｒ２としてはスルホ基が好ましく、その置換位置は結合するナフチル基上、置換可能であれば特に限定されないが、好ましくは６位又は７位であり、より好ましくは７位である。
【００１７】
Ｒ３、Ｒ４は、アミノ基、カルボキシ基、スルホ基、又は置換基を有していてもよいフェニルアミノ基である。フェニルアミノ基の置換基である無置換（Ｃ１−Ｃ４）アルキル基としては、例えば、メチル基、エチル基、ｎ−プロピル基、イソプロピル基、ｎ−ブチル基等が挙げられる。また、無置換（Ｃ１−Ｃ４）アルコキシ基としては、例えば、メトキシ基、エトキシ基、ｎ−プロポキシ基、イソプロポキシ基、ｎ−ブトキシ基等が挙げられる。Ｒ３、Ｒ４としてはカルボキシ基が好ましい。
Ｒ３、Ｒ４の置換位置は結合するフェニル基上、置換可能であれば特に限定されないが、好ましくは３位、４位、又は５位であり、特に好ましくはＲ３が３位、Ｒ４が５位である。
【００１８】
上記一般式（２）におけるＲ５としてはスルホ基が好ましく、その置換位置は結合するナフチル基上、置換可能であれば特に限定されないが、好ましくは６位又は７位である。
【００１９】
Ｒ６がフェニルアミノ基である場合、その置換基としての無置換（Ｃ１−Ｃ４）アルキル基又は無置換（Ｃ１−Ｃ４）アルコキシ基としては、上記Ｒ３、Ｒ４における無置換（Ｃ１−Ｃ４）アルキル基又は無置換（Ｃ１−Ｃ４）アルコキシ基と同様の基が挙げられる。フェニルアミノ基の置換基としてはカルボキシ基が好ましい。
Ｒ６の置換位置はその結合するナフチル基上、置換可能であれば特に限定されないが、６位又は７位が好ましく、中でも６位が特に好ましい。
【００２０】
上記一般式（２）で表されるＡの置換位置はその結合するナフチル基上、置換可能であれば特に限定されないが、６位又は７位が好ましい。
【００２１】
Ａの置換位置がその結合するナフチル基の６位である場合、すなわち本発明のテトラキスアゾ化合物が上記一般式（３）で表される場合、Ｒ１の結合位置がその結合するナフチル基の７位又は８位であり、Ｒ２、Ｒ５、Ｒ６の結合位置がそれぞれの結合するナフチル基の６位又は７位であり、Ｒ３、Ｒ４の結合位置がその結合するフェニル基の３位、４位、又は５位であることが好ましい。より好ましくは、Ｒ６の結合位置がその結合するナフチル基の６位であり、Ｒ３の結合位置がその結合するフェニル基の３位であり、Ｒ４の結合位置がその結合するフェニル基の５位である。
【００２２】
一方、Ａの置換位置がその結合するナフチル基の７位である場合、すなわち本発明のテトラキスアゾ化合物が上記一般式（４）で表される場合、Ｒ１の結合位置がその結合するナフチル基の６位又は８位であり、Ｒ２、Ｒ５、Ｒ６の結合位置がそれぞれの結合するナフチル基の６位又は７位であり、Ｒ３、Ｒ４の結合位置がその結合するフェニル基の３位、４位、又は５位であることが好ましい。より好ましくは、Ｒ６の結合位置がその結合するナフチル基の６位であり、Ｒ３の結合位置がその結合するフェニル基の３位であり、Ｒ４の結合位置がその結合するフェニル基の５位である。
【００２３】
本発明において、アゾ基はシン型でもアンチ型でもそれらの混合型でもよい。
本発明のテトラキスアゾ化合物の塩としては、スルホ基等の酸性基の塩やアミノ基等の塩基性基の塩が挙げられるが、特に限定されない。酸性基の塩としては、例えば、ナトリウム塩、カリウム塩等が挙げられる。また、塩基性基の塩としては、例えば、塩酸塩、硫酸塩、硝酸塩等の無機酸との塩、ｐ−トルエンスルホン酸塩、酢酸塩等の有機酸との塩が挙げられる。該塩は通常の造塩反応により調製される。
【００２４】
本発明のテトラキスアゾ化合物としての一例示として、後記の実施例に記載の化合物が挙げられる
【００２５】
本発明のテトラキスアゾ化合物又はその塩を含有する染料組成物も本発明に含まれる。該染料組成物は、例えば、水等の溶剤や、通常、染料に使用される添加剤を含んでいてもよい。本発明の染料組成物は、上記テトラキスアゾ化合物又はその塩以外の染料を含んでいてもよい。
【００２６】
本発明の染料組成物は、セルロ−ス繊維材料、特に紙やパルプを染色する際に使用することができ、特に該染料組成物の溶液を用いる染色方法及びその染色方法により染色された染色物も本発明に含まれる。溶液としては水溶液が好ましく、本発明の染料組成物を溶解又は希釈して得られる。該染色方法とは、例えば、紙・パルプを染色する通常の染色条件による染色法や、サイズプレス法、コ−テイング法を包含する表面塗工染色法、内添染色法等である。さらに、本発明には、該染色物を加工して得られる物品も含まれる。
【００２７】
本発明のテトラキスアゾ化合物は、非特許文献１等に記載される通常のアゾ染料の製法を応用して、ジアゾ化反応、カップリング反応を行うことにより製造される。
ジアゾ化反応はジアゾ化する成分の塩酸、硫酸等の鉱酸水溶液又は懸濁液に亜硝酸ナトリウム等の亜硝酸塩を混合するという順法によるか、あるいはジアゾ化する成分の中性〜弱アルカリ性の水溶液に亜硝酸塩を加えておき、これと鉱酸を混合するという逆法によって行われる。ジアゾ化反応の温度は、−１０〜４０℃が適当である。
【００２８】
カップリング反応により得られたアゾ化合物は、そのままあるいは酸析や塩析により析出させ濾過して取り出すか、溶液又は懸濁液のまま次の工程へ進めることができる。
ジアゾニウム塩が難溶性で懸濁液となっている場合は、濾過し、プレスケ−キとして次のカップリング反応に使うこともできる。また、塩析を繰り返したり、有機溶媒を使用して水中から析出させたりして精製することもできる。該有機溶媒としては、例えば、メタノ−ル、エタノール等のアルコ−ル類、アセトン等のケトン類等の水溶性有機溶媒が挙げられる。
【００２９】
本発明のテトラキスアゾ化合物の製造法を一例示により説明する。なお、下記式（５）〜（１２）で適宜使用されるＲ１、Ｒ２、Ｒ３、Ｒ４、Ｒ５、Ｒ６は、上記と同じ意味を示す。
まず、下記式（５）で表されるフェニルアミン誘導体をジアゾ化し、下記式（６）で表される化合物と０〜４０℃、好ましくは１０〜１５℃、ｐＨ０．５〜１１．０、好ましくはｐＨ４．０〜５．０でカップリング反応させ、下記式（７）で表されるモノアゾ化合物を得る。
【００３０】
【化５】
2014156851.tif 000007
【００３１】
次いで、下記式（８）で表される化合物をジアゾ化し、下記式（９）で表される化合物と０〜４０℃、好ましくは１０〜１５℃、ｐＨ０．５〜１１．０、好ましくはｐＨ４．０〜５．０でカップリング反応させ、下記式（１０）で表されるモノアゾ化合物を得る。
【００３２】
【化６】
2014156851.tif 000008
【００３３】
次いで、上記式（１０）で表されるモノアゾ化合物をジアゾ化し、下記式（１１）で表される化合物と０〜４０℃、好ましくは１０〜１５℃、ｐＨ０．５〜１１．０、好ましくはｐＨ８．８〜９．５でカップリング反応させ、下記式（１２）で表されるジスアゾ化合物を得る。
【００３４】
【化７】
2014156851.tif 000009
【００３５】
次いで、上記式（７）で表されるモノアゾ化合物をジアゾ化し、上記式（１２）で表される化合物と０〜４０℃、好ましくは１０〜１５℃、ｐＨ０．５〜１１．０、好ましくはｐＨ８．８〜９．５でカップリング反応させ、上記式（３）で表される本発明のテトラキスアゾ化合物を得る。
【００３６】
【化８】
2014156851.tif 000010
【実施例】
【００３７】
以下、実施例により本発明をさらに詳細に説明するが、これらの実施例により本発明が限定されるものではない。実施例において特に断りがない限り、部は質量部を、％は質量％をそれぞれ意味する。各式中のスルホ基、カルボキシ基等は遊離酸の形で表す。【００３８】
［実施例１］
（工程１）
【化９】
2014156851.tif 000011
【００３９】
水２００部中に５−アミノイソフタル酸１０部を投入後、４８％水酸化ナトリウム溶液を滴下してｐＨ６．０〜７．０に調整し溶解した。得られた溶液に亜硝酸ソーダ１．６部を加え、水９０部に３５％塩酸１０部を加えた溶液に１０〜１５℃にて加え、１時間撹拌しジアゾ化した。
水５００部中、８−アミノ−２−ナフタレンスルホン酸１２．３部を４８％水酸化ナトリウム溶液にてｐＨ４．５〜５．０に調整して溶解した溶液に、得られたジアゾ化した懸濁液を１０〜１５℃で約３０分間かけて滴下した。この滴下の間、反応液のｐＨ値を炭酸ナトリウム水溶液で４．０〜５．０に保持した。滴下終了後、５〜１０℃、ｐＨ４．０〜５．０で５時間、さらに１５〜２０℃で終夜撹拌し、反応を終結させた。次いで、反応液に塩化ナトリウムを加えて塩析し、濾過、単離、乾燥して、上記式（１３）で表される化合物２０．６部を得た。【００４０】
（工程２）
【化１０】
2014156851.tif 000012
【００４１】
水２００部中に６−アミノ−４−ヒドロキシ−２−ナフタレンスルホン酸１３部を投入後、４８％水酸化ナトリウム溶液を滴下してｐＨ６．０〜７．０に調整して溶解した。得られた溶液に亜硝酸ソーダ３．９部を加え、水１００部に３５％塩酸１０部を加えた溶液に１０〜１５℃にて加え、１時間撹拌しジアゾ化した。
水５００部中、８−アミノ−２−ナフタレンスルホン酸１２．３部を炭酸ナトリウム溶液にてｐＨ３．４〜３．８に調整して溶解した溶液に、得られたジアゾ化した懸濁液を０〜５℃の温度で約３０分間かけて滴下した。この滴下の間、反応液のｐＨ値を炭酸水素ナトリウム水溶液で４．０〜４．５に保持した。滴下終了後、ｐＨ４．０〜４．５、１０〜１５℃で３時間、さらに１５〜２０℃で終夜撹拌し、反応を終結させた。次いで、塩化ナトリウムを加えて塩析し、濾過、単離、乾燥して、上記式（１４）で表される化合物２３部を得た。【００４２】
（工程３）
【化１１】
2014156851.tif 000013
【００４３】
上記工程２で得られた上記式（１４）で表される化合物２３部を水２００部に投入し、４８％水酸化ナトリウム溶液を滴下し、ｐＨ８．０〜９．０に調整して溶解した。その溶液に亜硝酸ソーダ２．４部を添加し、水１００部に３５％塩酸を１６部添加した水溶液に１０〜１５℃にて滴下してジアゾ化した。４−（８−ヒドロキシ−６−スルホ−２−ナフチルアミノ）安息香酸１７．８部を水５００部に投入し、４８％水酸化ナトリウム溶液を滴下してｐＨを８．０〜９．０に調整して溶解し、その溶液に得られたジアゾ化した懸濁液を０〜５℃の温度で約３０分間かけて滴下した。この滴下の間、反応液のｐＨ値を炭酸ナトリウム水溶液の添加でｐＨ８．８〜９．５に保持した。滴下終了後、ｐＨ８．８〜９．５、１０〜１５℃で５時間、さらにｐＨ８．８〜９．５、１５〜２０℃で終夜撹拌し、反応を終結させた。次いで、反応液に塩化ナトリウムを加えて塩析し、濾過、単離、乾燥して、上記式（１５）で表される化合物３７．６部を得た。【００４４】
（工程４）
【化１２】
2014156851.tif 000014
【００４５】
上記工程１で得られた上記式（１３）で表される化合物１８．５部を水２００部に投入し、４８％水酸化ナトリウム溶液を滴下し、ｐＨ８．０〜９．０に調整して溶解した。その溶液に亜硝酸ソーダ１．９部を添加し、水１００部中に３５％塩酸を１３部添加した水溶液に１０〜１５℃にて滴下してジアゾ化した。上記工程３で得られた上記式（１５）で表される化合物３７．６部を水５００部に投入し、４８％水酸化ナトリウム溶液を滴下し、ｐＨ８．０〜９．０に調整して溶解し、その溶液に得られたジアゾ化した懸濁液を０〜５℃の温度で約３０分間かけて滴下した。この滴下の間、反応液のｐＨ値を炭酸ナトリウム水溶液の添加でｐＨ８．８〜９．５に保持した。滴下終了後、ｐＨ８．８〜９．５、１０〜１５℃で５時間、さらにｐＨ８．８〜９．５、１５〜２０℃で終夜撹拌し、反応を終結させた。次いで、反応液に塩化ナトリウムを加えて塩析、又は３５％塩酸を加えて酸析し、濾過、単離、乾燥して、上記式（１６）で表される化合物５０部を得た。水中でのこの化合物の吸収極大波長はλｍａｘ＝５９１．０ｎｍであった。【００４６】
［実施例２］
（工程１）
【化１３】
2014156851.tif 000015
【００４７】
水２００部中に２−アミノ−５−ヒドロキシ−１，７−ナフタレンジスルホン酸１０部を投入後、４８％水酸化ナトリウム溶液を滴下し、ｐＨ６．０〜７．０に調整して溶解した。得られた溶液に亜硝酸ソーダ３．０部を加え、水１００部に３５％塩酸１５部を加えた溶液に１０〜１５℃にて滴下し、１時間撹拌しジアゾ化した。
水５００部中、８−アミノ−２−ナフタレンスルホン酸６．９部を炭酸ナトリウム溶液にてｐＨ４．０〜５．０に調整して溶解した溶液に、得られたジアゾ化した懸濁液を０〜５℃の温度で約３０分間かけて滴下した。この滴下の間、反応液のｐＨ値を炭酸水素ナトリウム水溶液でｐＨ４．５〜５．０に保持した。滴下終了後、ｐＨ４．０〜５．０、１０〜１５℃で３時間、さらに１５〜２０℃で終夜撹拌し、反応を終結させた。次いで、反応液に塩化ナトリウムを加えて塩析し、濾過、単離、乾燥して、上記式（１７）で表される化合物１５．５部を得た。【００４８】
（工程２）
【化１４】
2014156851.tif 000016
【００４９】
上記工程１で得られた上記式（１７）で表される化合物１５．５部を水２００部に投入し、４８％水酸化ナトリウム溶液を滴下し、ｐＨ８．０〜９．０に調整して溶解した。得られた溶液に亜硝酸ソーダ２．０部を添加し、水３００部中に３５％塩酸を１５部添加した水溶液に１０〜１５℃にて滴下してジアゾ化し、懸濁液を得た。
水５００部に４−（８−ヒドロキシ−６−スルホ−２−ナフチルアミノ）安息香酸１０部を投入し、４８％水酸化ナトリウム溶液を滴下してｐＨを９．５〜１０．０に調整して溶解した溶液に、得られたジアゾ化した懸濁液を１０〜１５℃の温度で約３０分間かけて滴下した。この滴下の間、反応液のｐＨ値を炭酸ナトリウム水溶液にてｐＨ９．３〜１０．０に保持した。滴下終了後、ｐＨ９．３〜１０．０、１０〜１５℃で５時間、さらにｐＨ９．３〜１０．０、１５〜２０℃で終夜撹拌し、反応を終結させた。次いで、反応液に塩化ナトリウムを加えて塩析し、濾過、単離、乾燥して、上記式（１８）で表される化合物２３部を得た。【００５０】
（工程３）
【化１５】
2014156851.tif 000017
【００５１】
実施例１の工程１と同様の方法で得られた上記式（１３）で表される化合物１０．４部を水２００部に投入し、４８％水酸化ナトリウム溶液を滴下し、ｐＨ８．０〜９．０に調整して溶解した。得られた溶液に亜硝酸ソーダ１．８部を添加し、水１００部に３５％塩酸を９部添加した水溶液に１０〜１５℃にて滴下してジアゾ化した。
水２００部中に上記工程２で得られた上記式（１８）で表される化合物２３部を添加し、炭酸ナトリウム溶液にてｐＨ８．０〜１０．０に調整して溶解した溶液に、得られたジアゾ化した懸濁液を１０〜１５℃で約３０分間かけて滴下した。この滴下の間、反応液のｐＨ値を炭酸ナトリウム水溶液の添加によりｐＨ８．８〜９．５に保持した。滴下終了後、ｐＨ８．８〜９．５、１０〜１５℃で２時間、さらに１５〜２０℃で終夜撹拌し、反応を終結させた。次いで、反応液に塩化ナトリウムを加えて塩析し、濾過、単離、乾燥して、上記式（１９）で表される化合物３０部を得た。水中でのこの化合物の吸収極大波長はλｍａｘ＝５９７．０ｎｍであった。【００５２】
［実施例３］
実施例１、２で合成した染料１部を水１０００部に溶解して染浴を調製し、この染浴に叩解クラフトパルプ３００部（絶乾パルプ３０部、叩解度３５ＳＲ）を加えて、室温で１５分間撹拌した後、３０％ロジンサイズ水溶液１部を加え、さらに１０分間撹拌した後、結晶硫酸アルミニウム３部を加えて２０分間撹拌した。染色したパルプを抄紙し、乾燥して黒色の染色物を得た。
得られた染色物をＣＯＬＯＲ  ＥＹＥ  ＣＥ３０００（Ｍａｃｂｅｔｈ社製）及び目視による測色を行い、測色機器判定及び変退色用グレースケール比較による目視判定により染色性を評価した。
公知の染料Ａ、Ｂについて同様にパルプを染色し、抄紙して試験を行った。なお、染料ＡはＣ．Ｉ．ダイレクトブラック１９、染料ＢはＣ．Ｉ．ダイレクトブラック１６８であり、いずれも現在多用されている黒色染料である。
各染色物の染色性及び耐光堅牢度について結果を表１に示す。【００５３】
耐光試験方法は以下のとおりである。
カーボンアークフェードメーター（スガ試験機（株）製）を用い、染色紙に１０時間又は２０時間照射した。判定級はＪＩＳ  Ｌ−０８４１に規定されたブルースケールの等級に準じて決定した。等級が大きいほど光照射によって退色しにくいことを意味し、好ましい。なお、照射時間による耐光性には差がなかった。【００５４】
【表１】
2014156851.tif 000018
【００５５】
表１より、本発明のジアニシジンを使用しない黒色用テトラキスアゾ化合物は、ジアニシジンを使用する従来の黒色染料と比べてより優れた耐光性を示している。現在多用されている公知の染料Ａは、良好な染着性を示すが耐光性が若干低い。現在多用されている公知の染料Ｂは、染料Ａと同等程度の良好な染着性を示すが耐光性が低い。一方、ジアニシジンを使用せずに製造可能な本発明の黒色用染料は、ジアニシジンを使用しないと製造できない染料Ａ、Ｂと同等の良好な染着性を示すとともに、耐光性は染料Ａ、Ｂより優れるという性能を有している。
【国際調査報告】
2014156851.tif 000024
2014156851.tif 000025
2014156851.tif 000026
2014156851.tif 000027